(57)【要約】【課題】成端用光キャビネット内の多数分岐構造による各種モジュールの各挿入部に成端用光コネクタプラグが接続していてもこれが邪魔とならずに、各成端用光コネクタプラグの挿・抜操作が容易に行える成端用光コネクタプラグを提供する。【解決手段】成端用光キャビネット内の複数分岐構造によるモジュールの各挿入部１ａ（１ｂ）における接続用両開口端に設けられたキー溝２に嵌合するためのキー突起３をツマミＱに突設して成る成端用光コネクタプラグＰであって、当該キー突起３の上端には、着脱可能な挿抜操作レバー４を有して成る。挿抜操作レバー４は、この下面側にキー突起挿入用凹部７を備えた脚座６と、該凹部７に挿入されたキー突起３を圧入、固定する保持部材５にて成る。【選択図】図２
2010002652.tif 000002
【特許請求の範囲】
【請求項１】
成端用光キャビネット内の複数分岐構造によるモジュールの各挿入部に設けられたキー溝に嵌合させるためのキー突起がツマミに突設されて成る成端用光コネクタプラグであって、当該キー突起の上端に、プラグ用の挿抜操作レバーを装着して成ることを特徴とする成端用光コネクタプラグ。
【請求項２】
挿抜操作レバーは、この下面側にキー突起挿入用凹部を備えたキー溝嵌合用の脚座と、該凹部に挿入されたキー突起を圧入、固定する保持部材を備えて成る請求項１記載の成端用光コネクタプラグ。
【請求項３】
保持部材は、脚座の凹部に挿入されたキー突起を左右両側から把持して係止固定する把持用弾性体にて成る請求項１または請求項２記載の成端用光コネクタプラグ。
【発明の詳細な説明】
【技術分野】
【０００１】
本発明は、高密度の構内成端用光キャビネット内の、例えば４分岐もしくは８分岐等のスプリッタモジュールや変換心線モジュール等に接続される成端用光コネクタプラグに関する。
【背景技術】
【０００２】
従来、成端用光ファイバの先端に組み立てられた光コネクタプラグは、図８、図９に示すように、高密度の構内成端用光キャビネット内に設けられているスプリッタモジュールＳＭにより２分岐以上の例えば４分岐等の横配列となったＳＣコネクタ等に接続される。
【０００３】
このとき、二つの成端用光コネクタプラグＰを相互接続できるように、合成樹脂の成型品で成るスプリッタモジュールＳＭの両端には、光学軸が一致するようにして、一方の挿入部１ａと、他方の挿入部１ｂとをそれぞれ備えている。
【０００４】
すなわち、スプリッタモジュールＳＭは、図７に示すように、上側壁と左右側壁と底壁とが一体に形成して成り、左右側壁の間には３つの仕切壁を介して四角筒状の４つの挿入部１ａ（１ｂ）が形成されている。また、この中央内部には各挿入部１ａ（１ｂ）に対応して４つのＳＣコネクタが両側から挿入されるよう、上記した一方の挿入部１ａおよび他方の挿入部１ｂにおける接続開口端は水平方向に開口している。
【０００５】
また、各挿入部１ａ（１ｂ）における上側壁中央には、成端用光コネクタプラグＰ挿入時のガイドおよび安定保持のために、光軸方向に沿って直線溝条となったキー溝２がそれぞれ形成されている。
【０００６】
因みに、成端用光コネクタプラグＰの具体的な構成としては、周知のように、光ファイバ芯線が挿入固定されると共に、後端にフランジが圧入保持されるフェルールと、フランジ後端に当接しフェルールを前方に付勢するスプリングの後端を支持するストップリングと、これら各部材を覆うプラグフレームと、光ケーブルの抗張力線であるケブラを前記ストップリングに固定するカシメ座と、光ケーブルのケブラ外側を覆う合成樹脂外皮であるシースを前記カシメ座に固定するカシメリングと、前記ストップリングに装着されるブーツと、プラグフレームおよびストップリングの外側に被せられるツマミＱとから概ね構成されている。
【０００７】
そして、図６（ａ）、（ｂ）に示すように、ツマミＱの例えば上側壁の上面中央には、スプリッタモジュールＳＭの各挿入部１ａ（１ｂ）における接続用両開口端に設けられた前記キー溝２に嵌合させるための平面略長円形状となったキー突起３が突設されている。
【特許文献１】特になし
【発明の開示】
【発明が解決しようとする課題】
【０００８】
しかしながら、従来においては、ツマミＱにはキー突起３以外は何等突出した操作部分が無いほぼ平坦な形状であることから、スプリッタモジュールＳＭの各挿入部１ａ（１ｂ）への挿入および抜脱に際しての操作性が非常に劣ったものになる。特に、高密度の構内成端用光キャビネット内の例えば４分岐もしくは８分岐等のスプリッタモジュールＳＭや不図示の変換心線モジュール等に接続される場合には、各挿入部１ａ（１ｂ）に接続されている左右に隣接する成端用光コネクタプラグＰ同士が互いに邪魔となることから、ツマミＱを介しての成端用光コネクタプラグＰの挿入操作が非常に行い難いものとなっている。
【０００９】
そこで、本発明は、叙上のような従来存した諸事情に鑑み案出されたもので、高密度の構内成端用光キャビネット内の多数分岐構造による各種モジュールの各挿入部に成端用光コネクタプラグが接続していても隣接するプラグ同士が互いに邪魔とならずに、各成端用光コネクタプラグの挿・抜操作が容易に行えるものとした成端用光コネクタプラグを提供することを目的とする。
【課題を解決するための手段】
【００１０】
上述した課題を解決するため、本発明にあっては、成端用光キャビネット内の複数分岐構造によるモジュールの各挿入部に設けられたキー溝に嵌合させるためのキー突起がツマミに突設されて成る成端用光コネクタプラグであって、当該キー突起の上端に、プラグ用の挿抜操作レバーを装着して成ることを特徴とする。
【００１１】
挿抜操作レバーは、この下面側にキー突起挿入用凹部を備えたキー溝嵌合用の脚座と、該凹部に挿入されたキー突起を圧入、固定する保持部材を備えて成る。
【００１２】
保持部材は、脚座の凹部に挿入されたキー突起を左右両側から把持して係止固定する把持用弾性体にて成る。
【発明の効果】
【００１３】
本発明によれば、成端用光キャビネット内の多数分岐構造による各種モジュールの各挿入部に成端用光コネクタプラグが接続していてもこれが邪魔とならずに、ツマミおよびキー突起を介しての他の成端用光コネクタプラグの挿抜操作が容易に行える。
【００１４】
また、挿入部のキー溝に嵌合したキー突起を介して上方に挿抜操作レバーが露出することによって、スプリッタモジュールからの成端用光コネクタプラグ自体の挿抜が指一本で容易に行なえる。つまり、密集した配置で本来指先でも掴むことが困難な場所でも挿抜操作レバーを装着ことによって容易に各プラグを挿抜できるものである。
【００１５】
特に、挿抜操作レバーがキー突起の上端に着脱可能に取り付けられることから、従来のキー溝付きのスプリッタモジュールや各種アダプタに対しても容易に兼用可能となり、利便性が向上する。しかも、挿抜操作レバーの装着後には、スプリッタモジュールや各種アダプタに対してのキーの代わりとなり、誤挿入の防止にもなる。
【００１６】
また、挿抜操作レバーは、この下面側にキー突起挿入用凹部を備えたキー溝嵌合用の脚座と、該凹部に挿入されたキー突起を圧入、固定する保持部材を備えて成るので、キー突起に対して挿抜操作レバーはしっかりと固定される。
【００１７】
さらに、挿抜操作レバーは、脚座の凹部に挿入されたキー突起を左右両側から把持して係止固定する保持部材として把持用弾性体にて成るので、モジュールの各挿入部に設けられたキー溝に嵌合させるためのキー突起をツマミに突設されて成る成端用光コネクタプラグであれば如何なるものであってもワンタッチにて容易に脱着できる。
【発明を実施するための最良の形態】
【００１８】
以下、図面を参照して本発明に係る成端用光コネクタプラグを実施するための最良の一形態を詳細に説明する。
成端用光ファイバの先端に組み立てられた成端用光コネクタプラグＰは、図３、図４および図５に示すような高密度の構内成端用光キャビネット内に設けられている各種のモジュールとして、例えばスプリッタモジュールＳＭである２分岐以上の例えば４分岐等の横配列となったＳＣコネクタ等に接続される。
【００１９】
尚、このスプリッタモジュールＳＭは、例えば８分岐の横配列、あるいは２分岐、４分岐、８分岐等の縦配列等となったＳＣコネクタを備えた構成であっても良い。また、スプリッタモジュールＳＭの他に変換心線モジュール等であっても良い。
【００２０】
このとき、図３に示すように、二つの成端用光コネクタプラグＰを相互接続できるように、合成樹脂の成型品で成るスプリッタモジュールＳＭの両端には、光学軸が一致するようにして、一方の挿入部１ａと、他方の挿入部１ｂとをそれぞれ備えている。
【００２１】
すなわち、スプリッタモジュールＳＭは、図３に示すように、上側壁と左右側壁と底壁とが一体に形成して成り、左右側壁の間には３つの仕切壁を介して四角筒状の４つの挿入部１ａ（１ｂ）が形成されている。また、この中央内部には各挿入部１ａ（１ｂ）に対応して配設された４つのＳＣコネクタがモジュール両側から挿入され易いように、上記した一方の挿入部１ａおよび他方の挿入部１ｂにおける接続用両開口端はそれぞれ斜め上方向に向けて開口している。両挿入部１ａ、１ｂが水平方向へ開口していても良いことは勿論である。
【００２２】
また、図３、図４および図５に示すように、各挿入部１ａ（１ｂ）における上側壁中央には、成端用光コネクタプラグＰ挿入時のガイドおよび安定保持のために、光軸方向に沿って直線溝条となったキー溝２が各端部に開口状態で形成されている。
【００２３】
一方、成端用光コネクタプラグＰの具体的な構成としては、周知のように、光ファイバ芯線が挿入固定されると共に、後端にフランジが圧入保持されるフェルールと、フランジ後端に当接しフェルールを前方に付勢するスプリングの後端を支持するストップリングと、これら各部材を覆うプラグフレームと、光ケーブルの抗張力線であるケブラを前記ストップリングに固定するカシメ座と、光ケーブルのケブラ外側を覆う合成樹脂外皮であるシースを前記カシメ座に固定するカシメリングと、前記ストップリングに装着されるブーツと、プラグフレームおよびストップリングの外側に被せられるツマミＱとから概ね構成されている。
【００２４】
そして、ツマミＱの例えば上側壁の上面中央には、図１（ａ）に示すように、スプリッタモジュールＳＭの各挿入部１における接続用両開口端に設けられた前記キー溝２に嵌合させるための平面略長円形状となったキー突起３が突設され、当該キー突起３の上端には、図１（ａ）、図２（ａ）に示すように、矩形板状による挿抜操作レバー４が指一本で着脱可能に取り付けられるようにしてある。
【００２５】
この挿抜操作レバー４は、図１（ａ）、（ｂ）に示すように、その上面が例えば前後方向中央に山型状に隆起して成り、その隆起した上面全体には滑り止め用の波状溝４ａが形成されている。尚、この挿抜操作レバー４の上面は、前後方向に沿って２連、３連等の山型状であったりしても良い。
【００２６】
そして、挿抜操作レバー４は、図２（ａ）、（ｂ）に示すように、その下面側に幅狭となった平面略長円形状の脚座６が設けられ、この下面中央に、例えば略矩形窪み状となったキー突起挿入用凹部７が凹設され、当該凹部内にキー突起３上端が挿入されるようにしてある。
【００２７】
このとき、前記キー溝２の溝幅は、脚座６の横幅と略同じ大きさとなるように加工されており、キー突起３に挿抜操作レバー４が装着されている状態で当該挿抜操作レバー４の脚座６部分がキー溝２に挿入できるようにしてある。
【００２８】
また、挿抜操作レバー４は、脚座６の凹部７に挿入されたキー突起３を圧入、固定する保持部材５を備えている。そして、この保持部材５としては、例えば略Ｌ字状の板バネによって形成されて成る２個の把持用弾性体５ａがキー突起挿入用凹部７の左右両側から内壁面に沿ってそれぞれ上向き傾斜状に対向突出されている。
【００２９】
すなわち、図２（ａ）、（ｂ）に示すように、相対向する脚座６それぞれの下端には、保持部材５の一例を形成する把持用弾性体５ａである例えば略Ｌ字状の板バネの一端が挿入される溝条８が形成されており、各板バネはこの溝条８にそれぞれ挿入されてから脚座６下面の段差凹所９の位置で互いに内側に向けて折り曲げられており、脚座６の左右両側から内壁面に沿って上向き傾斜状に対向しつつ突出配置される。こうして、挿抜操作レバー４は、２個の略Ｌ字状把持用弾性体５ａによりキー突起３を左右両側から把持して係止固定されるようにしている。尚、把持用弾性体５ａは略逆Ｕ字状の１個の板バネによって形成しても良い。
【００３０】
成端用光コネクタプラグＰをスプリッタモジュールＳＭのＳＣコネクタに接続する際には、図１（ａ）、（ｂ）に示すように、ツマミＱのキー突起３に挿抜操作レバー４が装着される。このとき、挿抜操作レバー４には、左右一対の例えば板バネによって形成されて成る把持用弾性体５ａがキー突起挿入用凹部７の左右内壁面に沿って上向き傾斜状に対向しつつ突出されていることから、把持用弾性体５ａの板バネ弾発力によってキー突起３を把持させると同時に、板バネのエッジがキー突起３に食い付き係止される。
【００３１】
そして、図４および図５に示すように、該挿抜操作レバー４の上面を手指で押さえながら、当該キー突起３をスプリッタモジュールＳＭの各挿入部１ａ（１ｂ）における接続用両開口端のキー溝２にスライド嵌合させる。このとき、各挿入部１ａ（１ｂ）の上側壁のキー溝２に挿抜操作レバー４の脚座６部分がキー溝２に嵌合される。したがって、このキー溝２上方に露出した挿抜操作レバー４によって、成端用光コネクタプラグＰ自体はスプリッタモジュールＳＭに安定に保持される。
【００３２】
また、他の成端用光コネクタプラグＰがスプリッタモジュールＳＭの各挿入部１ａ（１ｂ）に横配列となって接続されていても、挿抜操作レバー４がキー溝２上方に露出していることから、隣接する他の成端用光コネクタプラグＰによってその挿入操作に支障をきたさずに容易に挿入できるものとなる。接続中の成端用光コネクタプラグＰの抜脱操作するときも同様である。いずれの場合も挿抜操作レバー４上面に設けられた波状溝４ａが滑り止めの役割を果たす。
【００３３】
また、挿抜操作レバー４の他の例としては、上記したキー突起３に対応したツマミＱ後方側に、前後方向に単一もしくは前後２連あるいは３連等の山型状に若干隆起し、且つ上面全体に滑り止め用の波状溝４ａが形成されて成る挿抜操作レバー４が着脱可能に取り付けられるようにしても良い。尚、この挿抜操作レバー４は、指先で操作できるものであれば単なる突起でも良い。
【００３４】
この場合、他の成端用光コネクタプラグＰがスプリッタモジュールＳＭの各挿入部１ａ（１ｂ）に横配列となって接続されていても、ツマミＱ後方側において挿抜操作レバー４が上方隆起状に露出していることから、隣接する他の成端用光コネクタプラグＰによってその操作に支障をきたさずに容易且つ迅速に挿入および抜脱できるものとなる。
【図面の簡単な説明】
【００３５】
【図１】本発明を実施するための最良の形態における成端用光コネクタプラグの一例を示し、（ａ）は挿抜操作レバーの装着前の斜視図、（ｂ）は装着後の斜視図である。
【図２】同じくキー突起へ装着される挿抜操作レバーの一例を示すもので、（ａ）は挿抜操作レバーの断面図、（ｂ）は挿抜操作レバーの下面図である
【図３】同じくスプリッタモジュールの一例を示す斜視図である。
【図４】同じくスプリッタモジュールに成端用光コネクタプラグを挿入する状態を示す斜視図である。
【図５】同じくスプリッタモジュールに成端用光コネクタプラグを挿入する状態を他の視線から見た状態の斜視図である。
【図６】従来例における成端用光コネクタプラグを示し、（ａ）は斜視図、（ｂ）は側面図である。
【図７】従来例におけるスプリッタモジュールを示す斜視図である。
【図８】従来例における成端用光コネクタプラグをスプリッタモジュールに挿入する状態を示す斜視図である。
【図９】従来例における成端用光コネクタプラグをスプリッタモジュールに挿入する状態を他の視線から見た状態の斜視図である。
【符号の説明】
【００３６】
Ｐ          成端用光コネクタプラグ
Ｑ          ツマミ
ＳＭ        スプリッタモジュール
１ａ、１ｂ  挿入部
２          キー溝
３          キー突起
４          挿抜操作レバー
４ａ        波状溝
５          保持部材
５ａ        把持用弾性体
６          脚座
７          キー突起挿入用凹部
８          溝条８
９          段差凹所
【図１】
2010002652.tif 000003
【図２】
2010002652.tif 000004
【図３】
2010002652.tif 000005
【図４】
2010002652.tif 000006
【図５】
2010002652.tif 000007
【図６】
2010002652.tif 000008
【図７】
2010002652.tif 000009
【図８】
2010002652.tif 000010
【図９】
2010002652.tif 000011